(57)【要約】【課題】ＥＧＲガスを新気と混合してシリンダに供給する吸気装置１において、ＥＧＲインレット３のインテークマニホールド２への組付作業性を改善する。【解決手段】吸気装置１によれば、ＥＧＲインレット３の挿入部１６は略円筒状に設けられ、ＥＧＲインレット３の先端はインテークマニホールド２の内部で所定の目標位置まで突出する。そして、基準平面上のＥＧＲインレット３の切断図に含まれる点と、ＥＧＲインレット３の先端の基準平面への垂直投影図に含まれる点との距離の最大値を挿入時最大占有径Ｃと定義すると、挿入部開口径Ａは挿入時最大占有径Ｃよりも大きい。これにより、ＥＧＲインレット３を径方向および軸方向に直線的に移動させることで、ＥＧＲインレット３の先端を目標位置まで突出させることができる。このため、ＥＧＲインレット３のインテークマニホールド２への組付作業性を改善することができる。【選択図】図３
2008297919.tif 000002
【特許請求の範囲】
【請求項１】
エンジンのシリンダヘッドに接続され、シリンダに順次に吸気を分配するインテークマニホールドと、
このインテークマニホールドの内部に突出し、ＥＧＲガスの前記インテークマニホールドの内部への吹出し配管をなすＥＧＲインレットとを備える吸気装置において、
前記インテークマニホールドは、前記ＥＧＲインレットを内部に受け入れるための挿入部を有し、
この挿入部は、略円筒状に設けられて上側で前記インテークマニホールドの外部に開口するとともに、下側で前記インテークマニホールドの内部に開口し、
前記ＥＧＲインレットの先端は、前記挿入部から前記インテークマニホールドの内部に挿入されて所定の目標位置まで突出し、前記インテークマニホールドの内部にＥＧＲガスを吹き出す吹出し口をなし、  
前記挿入部の上側の開口径を挿入部開口径Ａ、  
前記挿入部の周方向位置の内、上下方向に平行な前記挿入部の軸心から前記目標位置に向かう方向と交差する周方向位置における前記挿入部の軸方向長さを挿入部開口深さＢ、
前記ＥＧＲインレットの先端の最上部から前記挿入部開口深さＢだけ軸方向に上方の位置で前記挿入部の軸心に垂直な基準平面を想定し、この基準平面上の前記ＥＧＲインレットの切断図に含まれる点と、前記ＥＧＲインレットの先端の前記基準平面への垂直投影図に含まれる点との距離の最大値を挿入時最大占有径Ｃと定義すると、
前記挿入部開口径Ａは前記挿入時最大占有径Ｃよりも大きいことを特徴とする吸気装置。
【請求項２】
請求項１に記載の吸気装置において、
前記ＥＧＲインレットの先端部は、先端に向かい直線状に設けられていることを特徴とする吸気装置。
【請求項３】
請求項１または請求項２に記載の吸気装置において、
前記インテークマニホールドは、
一端から他端に向かいに列状に並んで設けられ、上流端がサージタンクに開口するとともに下流端がシリンダヘッドに接続して前記サージタンクからシリンダに吸気を導出する複数の導出管と、
前記サージタンクの一端側または他端側のいずれかに接続して前記サージタンクに吸気を導入する導入管とを有し、
前記ＥＧＲインレットの先端は、前記導入管の前記サージタンクへの接続部を前記目標位置とすることを特徴とする吸気装置。
【請求項４】
請求項１ないし請求項３の内のいずれか１つに記載の吸気装置において、
前記ＥＧＲインレットは、前記インテークマニホールドの内部で、前記挿入部の上側開口位置から所定深さ位置まで前記挿入部と同軸的に配され、前記所定深さ位置よりも下側で前記目標位置の方に傾斜していることを特徴とする吸気装置。
【請求項５】
請求項１ないし請求項４の内のいずれか１つに記載の吸気装置において、
前記インテークマニホールドは、樹脂を素材として設けられ、
前記ＥＧＲインレットは、本管の外周側に外周管を有し、
この外周管は、前記挿入部に接続されるとともに前記挿入部の上側で縮径して前記本管に接合されていることを特徴とする吸気装置。
【発明の詳細な説明】
【技術分野】
【０００１】
本発明は、エンジンに吸気を供給する吸気装置に関する。
【背景技術】
【０００２】
従来から、吸気装置では、排出ガス中の窒素酸化物低減や部分負荷時の燃費向上を目的として、内燃機関からの排気ガスの一部を新気と混合してシリンダに吸入させる技術が広く採用されている（以下、吸気装置において、新気と混合される排気ガスをＥＧＲガスと呼ぶ）。
【０００３】
ところで、ＥＧＲガスは、インテークマニホールドの内部に吹き出され、インテークマニホールドの内部で新気と混合されて各シリンダに吸入される。このため、ＥＧＲガスを各シリンダに均等に吸入させるために、ＥＧＲガスの吹出し口を所定の目標位置に配置する必要がある（例えば、特許文献１参照）。
【０００４】
しかし、ＥＧＲガスの吹出し口（つまり、ＥＧＲインレットの先端）を目標位置に配置するには、ＥＧＲインレットの姿勢を種々に変更しながらＥＧＲインレットの先端を目標位置まで突出させる必要がある。このため、ＥＧＲインレットをインテークマニホールドに組み付ける作業は極めて煩雑であり、吸気装置のコストアップ要因の１つになっている。
【０００５】
また、ＥＧＲインレットの組付作業性を改善するため、インテークマニホールド内部への挿入部の開口径を拡大してＥＧＲインレットの組付作業における姿勢変更の煩雑さを低減する方法も考えられる。しかし、挿入部の開口径が大きいほどインテークマニホールドの剛性が低下するので、単に開口径を大きくする方法は好ましくない。
【特許文献１】特開平７−１８９６４３号公報
【発明の開示】
【発明が解決しようとする課題】
【０００６】
本発明は、上記の問題点を解決するためになされたものであり、その目的は、ＥＧＲガスを新気と混合してシリンダに供給する吸気装置において、ＥＧＲインレットのインテークマニホールドへの組付作業性を改善することにある。
【課題を解決するための手段】
【０００７】
〔請求項１の手段〕
請求項１に記載の吸気装置は、エンジンのシリンダヘッドに接続され、シリンダに順次に吸気を分配するインテークマニホールドと、インテークマニホールドの内部に突出し、ＥＧＲガスのインテークマニホールドの内部への吹出し配管をなすＥＧＲインレットとを備える。また、インテークマニホールドは、ＥＧＲインレットを内部に受け入れるための挿入部を有し、挿入部は、略円筒状に設けられて上側でインテークマニホールドの外部に開口するとともに、下側でインテークマニホールドの内部に開口する。さらに、ＥＧＲインレットの先端は、挿入部からインテークマニホールドの内部に挿入されて所定の目標位置まで突出し、インテークマニホールドの内部にＥＧＲガスを吹き出す吹出し口をなす。
【０００８】
ここで、挿入部の上側の開口径を挿入部開口径Ａ、挿入部の周方向位置の内、上下方向に平行な挿入部の軸心から目標位置に向かう方向と交差する周方向位置における挿入部の軸方向長さを挿入部開口深さＢと定義する。また、ＥＧＲインレットの先端の最上部から挿入部開口深さＢだけ軸方向に上方の位置で挿入部の軸心に垂直な基準平面を想定し、基準平面上のＥＧＲインレットの切断図に含まれる点と、ＥＧＲインレットの先端の基準平面への垂直投影図に含まれる点との距離の最大値を挿入時最大占有径Ｃと定義すると、挿入部開口径Ａは挿入時最大占有径Ｃよりも大きい。
【０００９】
これにより、ＥＧＲインレットを周方向に位置決めしておけば、ＥＧＲインレットを径方向および軸方向に直線的に移動させることで、ＥＧＲインレットの先端を目標位置まで突出させることができる（なお、軸方向、周方向および径方向は全て挿入部に対する方向である）。このため、ＥＧＲインレットの先端を目標位置まで突出させるために、ＥＧＲインレットの姿勢を種々に変更する必要がなくなるので、ＥＧＲインレットのインテークマニホールドへの組付作業性を改善することができる。
【００１０】
また、挿入部開口径Ａは、挿入時最大占有径Ｃよりも大きい範囲で自在に設定できる。このため、インテークマニホールドの剛性が許容範囲に収まるように、挿入部開口径Ａを極小化することができる。
【００１１】
〔請求項２の手段〕
請求項２に記載の吸気装置によれば、ＥＧＲインレットの先端部は、先端に向かい直線状に設けられている。
これにより、ＥＧＲインレットからのＥＧＲガスの吹出し方向を安定させることができる。
【００１２】
〔請求項３の手段〕
請求項３に記載の吸気装置によれば、インテークマニホールドは、一端から他端に向かいに列状に並んで設けられ、上流端がサージタンクに開口するとともに下流端がシリンダヘッドに接続してサージタンクからシリンダに吸気を導出する複数の導出管と、サージタンクの一端側または他端側のいずれかに接続してサージタンクに吸気を導入する導入管とを有する。そして、ＥＧＲインレットの先端は、導入管のサージタンクへの接続部を目標位置とする。
これにより、ＥＧＲガスの各シリンダへの吸入が均等になる。
【００１３】
〔請求項４の手段〕
請求項４に記載の吸気装置によれば、ＥＧＲインレットは、インテークマニホールドの内部で、挿入部の上側開口位置から所定深さ位置まで挿入部と同軸的に配され、所定深さ位置よりも下側で目標位置の方に傾斜している。
これにより、ＥＧＲインレットの先端を目標位置まで突出させる作業の一部において、ＥＧＲインレットを軸方向および径方向の両方向に同時に移動させることができる。このため、ＥＧＲインレットの先端を目標位置まで突出させる作業を、さらに簡略化できる。
【００１４】
〔請求項５の手段〕
請求項５に記載の吸気装置によれば、インテークマニホールドは、樹脂を素材として設けられ、ＥＧＲインレットは、本管の外周側に外周管を有し、外周管は、挿入部に接続されるとともに挿入部の上側で縮径して本管に接合されている。
これにより、インテークマニホールドが樹脂を素材として設けられている場合に、ＥＧＲインレットの本管を挿入部に直接的に接続することによる問題を回避できる。
【００１５】
すなわち、インテークマニホールドでは、近年の軽量化や吸気温低下の推進に伴い、ポリアミド６等の樹脂を素材に設けられるものが多くなっている。一方、ＥＧＲインレットの本管を通過するＥＧＲガスは２００℃強の高温であるため、本管を樹脂製インテークマニホールドの挿入部に直接的に接続すると、挿入部は、本管を経由するＥＧＲガスからの伝熱により樹脂の融点に近い温度まで加熱されてしまう。このため、インテークマニホールドに樹脂の溶融や高温劣化などの問題が発生する。
【００１６】
このような問題に対し、本管の外周側に外周管を設けて外周管を挿入部に接続するとともに挿入部の上側で外周管を縮径させて本管に接合することで、ＥＧＲガスから挿入部への伝熱は本管および外周管を経由する。このため、ＥＧＲガスから挿入部への伝熱は、本管を直接的に挿入部に接続する場合よりも緩和される。また、挿入部および外周管は、外周管内周側の吸気および外周管外周側の外気により両側から冷却される。このため、インテークマニホールドが樹脂を素材として設けられていても、ＥＧＲガスからの伝熱による樹脂の溶融や高温劣化などの問題を回避できる。
【発明を実施するための最良の形態】
【００１７】
最良の形態の吸気装置は、エンジンのシリンダヘッドに接続され、シリンダに順次に吸気を分配するインテークマニホールドと、インテークマニホールドの内部に突出し、ＥＧＲガスのインテークマニホールドの内部への吹出し配管をなすＥＧＲインレットとを備える。また、インテークマニホールドは、ＥＧＲインレットを内部に受け入れるための挿入部を有し、挿入部は、略円筒状に設けられて上側でインテークマニホールドの外部に開口するとともに、下側でインテークマニホールドの内部に開口する。さらに、ＥＧＲインレットの先端は、挿入部からインテークマニホールドの内部に挿入されて所定の目標位置まで突出し、インテークマニホールドの内部にＥＧＲガスを吹き出す吹出し口をなす。
【００１８】
ここで、挿入部の上側の開口径を挿入部開口径Ａ、挿入部の周方向位置の内、上下方向に平行な挿入部の軸心から目標位置に向かう方向と交差する周方向位置における挿入部の軸方向長さを挿入部開口深さＢと定義する。また、ＥＧＲインレットの先端の最上部から挿入部開口深さＢだけ軸方向に上方の位置で挿入部の軸心に垂直な基準平面を想定し、基準平面上のＥＧＲインレットの切断図に含まれる点と、ＥＧＲインレットの先端の基準平面への垂直投影図に含まれる点との距離の最大値を挿入時最大占有径Ｃと定義すると、挿入部開口径Ａは挿入時最大占有径Ｃよりも大きい。
【００１９】
また、この吸気装置によれば、ＥＧＲインレットの先端部は、先端に向かい直線状に設けられている。
また、インテークマニホールドは、一端から他端に向かいに列状に並んで設けられ、上流端がサージタンクに開口するとともに下流端がシリンダヘッドに接続してサージタンクからシリンダに吸気を導出する複数の導出管と、サージタンクの一端側または他端側のいずれかに接続してサージタンクに吸気を導入する導入管とを有する。そして、ＥＧＲインレットの先端は、導入管のサージタンクへの接続部を目標位置とする。
【００２０】
さらに、この吸気装置によれば、ＥＧＲインレットは、インテークマニホールドの内部で、挿入部の上側開口位置から所定深さ位置まで挿入部と同軸的に配され、所定深さ位置よりも下側で目標位置の方に傾斜している。
また、インテークマニホールドは、樹脂を素材として設けられ、ＥＧＲインレットは、本管の外周側に外周管を有し、外周管は、挿入部に接続されるとともに挿入部の上側で縮径して本管に接合されている。
【実施例１】
【００２１】
〔実施例１の構成〕
実施例１の吸気装置１の構成を、図１ないし図３を用いて説明する。
吸気装置１は、エンジン（図示せず）に吸気を供給するものであり、例えば、軸方向に隣り合う８つのシリンダ（図示せず）が交互に左右に振り分けられて設けられるＶ型８気筒のエンジンに装着される。そして、吸気装置１は、エンジンからの排出ガスに含まれる窒素酸化物の低減や部分負荷時の燃費向上を目的として、インテークマニホールド２の内部に排気ガスの一部を導き新気と混合してシリンダに吸入させる（以下、インテークマニホールド２において、新気と混合される排気ガスをＥＧＲガスと呼ぶ）。
【００２２】
すなわち、この吸気装置１は、エンジンのシリンダヘッド（図示せず）に接続され、シリンダに順次に吸気を分配するインテークマニホールド２と、インテークマニホールド２の内部に突出し、ＥＧＲガスのインテークマニホールド２の内部への吹出し配管をなすＥＧＲインレット３とを備える。そして、ＥＧＲガスは、エンジンのエキゾーストマニホールド（図示せず）やシリンダヘッドの排気ポートから取り出されるとともに、所定のバルブ装置（ＥＧＲバルブ装置：図示せず）により流量調整されてＥＧＲインレット３に導かれ、インテークマニホールド２の内部に吹出される。
【００２３】
インテークマニホールド２は、サージタンク４からシリンダに吸気を導出する複数の導出管５と、サージタンク４に新気を導入する導入管６とを有する。導出管５は、一端から他端に向かい列状に並んで設けられ、上流端がサージタンク４に開口するとともに下流端がシリンダヘッドに接続する。また、導入管６は、サージタンク４の一端側に接続する。
【００２４】
そして、導出管５は、図２に示すように、インテークマニホールド２の外周に沿うように設けられ、シリンダヘッドへの接続端９をなす下流端は、交互に左右に振り分けられている。また、導出管５の上流端は２箇所でサージタンク４に開口し、一方の上流端（以下、開口端１０とする）はサージタンク４の下部に開口し、他方の上流端（以下、開口端１１とする）はサージタンク４の上部に開口する。なお、開口端１０、１１も交互に左右に振り分けられている。
また、導入管６は、上流端がスロットルボディ（図示せず）に接続する。
【００２５】
そして、インテークマニホールド２は、エンジンの運転状態に応じた吸気を供給するため、全ての開口端１１の内部に弁体１２を有する。すなわち、弁体１２により開口端１１が閉鎖されると、サージタンク４の吸気は、開口端１０のみから導出管６に吸入されてシリンダに供給される。また、開口端１１が開放されると、サージタンク４の吸気は、主に開口端１１から導出管５に吸入されてシリンダに供給される。すなわち、開口端１１が開放されると、吸気は、導出管５を大幅にバイパスしてシリンダに供給される。なお、弁体１２は、吸気により生じる負圧を駆動源として作動する負圧アクチュエータ１３から駆動力を得て回動する。
【００２６】
また、インテークマニホールド２の導入管６には、ＥＧＲインレット３を内部に受け入れるための挿入部１６が設けられている。挿入部１６は、略円筒状に設けられて上側でインテークマニホールド２の外部に開口するとともに、下側でインテークマニホールド２の内部に開口する。
なお、インテークマニホールド２は、導出管５、導入管６および挿入部１６等を含む本体が、例えばポリアミド６のような樹脂を素材として設けられている。
【００２７】
ＥＧＲインレット３は、先端が挿入部１６からインテークマニホールド２の内部に挿入されて所定の目標位置まで突出し、インテークマニホールド２の内部にＥＧＲガスを吹き出す吹出し口１７をなす。なお、ＥＧＲインレット３の先端が配される目標位置は、導入管６のサージタンク４への接続部であり、吹出し口１７は、サージタンク４に臨むように開口する。また、ＥＧＲインレット３の先端部は、先端に向かい直線状のストレート部１８をなす。
【００２８】
ここで、図３に示すように、挿入部１６の上側の開口径を挿入部開口径Ａ、挿入部１６の周方向位置の内、上下方向に平行な挿入部１６の軸心から目標位置に向かう方向と交差する周方向位置における挿入部１６の軸方向長さを挿入部開口深さＢと定義する（なお、図３は、上記のような周方向位置および挿入部１６の軸心を含む切断面を想定し、この切断面によるインテークマニホールド３の内部断面図である）。
【００２９】
そして、ＥＧＲインレット３は、挿入部１６の内部で、挿入部１６の上側開口位置から所定深さ位置まで挿入部１６と同軸的に配され、所定深さ位置よりも下側で目標位置の方に傾斜してストレート部１８に接続する。また、ＥＧＲインレット３は、挿入部１６に接続される外周管１９を有する。外周管１９は、ＥＧＲガスが流れる本管２０の外周側に配され、挿入部１６の上側で縮径して本管２０に接合されている。
【００３０】
また、ＥＧＲインレット３の先端の最上部から挿入部開口深さＢだけ軸方向に上方の位置で挿入部１６の軸心に垂直な基準平面を想定し、基準平面上のＥＧＲインレット３の切断図に含まれる点と、ＥＧＲインレット３の先端の基準平面への垂直投影図に含まれる点との距離の最大値を挿入時最大占有径Ｃと定義すると、挿入部開口径Ａは挿入時最大占有径Ｃよりも大きい。
【００３１】
〔実施例１の効果〕
実施例１の吸気装置１によれば、ＥＧＲインレット３をインテークマニホールド２の内部に受け入れるための挿入部１６は略円筒状に設けられ、ＥＧＲインレット３の先端はインテークマニホールド２の内部で所定の目標位置まで突出する。そして、ＥＧＲインレット３の先端の最上部から挿入部開口深さＢだけ軸方向に上方の位置で挿入部１６の軸心に垂直な基準平面を想定し、基準平面上のＥＧＲインレット３の切断図に含まれる点と、ＥＧＲインレット３の先端の基準平面への垂直投影図に含まれる点との距離の最大値を挿入時最大占有径Ｃと定義すると、挿入部開口径Ａは挿入時最大占有径Ｃよりも大きい。
【００３２】
これにより、ＥＧＲインレット３を周方向に位置決めしておけば、ＥＧＲインレット３を径方向および軸方向に直線的に移動させることで、ＥＧＲインレット３の先端を目標位置まで突出させることができる（なお、軸方向、周方向および径方向は全て挿入部１６に対する方向である）。このため、ＥＧＲインレット３の先端を目標位置まで突出させるために、ＥＧＲインレット３の姿勢を種々に変更する必要がなくなるので、ＥＧＲインレット３のインテークマニホールド２への組付作業性を改善することができる。また、挿入部開口径Ａは、挿入時最大占有径Ｃよりも大きい範囲で自在に設定できる。
このため、インテークマニホールド２の剛性が許容範囲に収まるように、挿入部開口径Ａを極小化することができる。
【００３３】
また、ＥＧＲインレット３の先端部は、先端に向かい直線状のストレート部１８をなす。
これにより、ＥＧＲインレット３からのＥＧＲガスの吹出し方向を安定させることができる。
【００３４】
また、インテークマニホールド２において、サージタンク４からシリンダへの吸気の導出管５は、一端から他端に向かいに列状に並んで設けられ、サージタンク４への新気の導入管６は、サージタンク４の一端側に接続する。そして、ＥＧＲインレット３の先端が配される目標位置は、導入管６のサージタンク４への接続部である。
これにより、ＥＧＲガスの各シリンダへの吸入が均等になる。
【００３５】
また、ＥＧＲインレット３は、挿入部１６の内部で、挿入部１６の上側開口位置から所定深さ位置まで挿入部１６と同軸的に配され、所定深さ位置よりも下側で目標位置の方に傾斜してストレート部１８に接続する。
これにより、ＥＧＲインレット３の先端を目標位置まで突出させる作業の一部において、ＥＧＲインレット３を軸方向および径方向の両方向に同時に移動させることができる。このため、ＥＧＲインレット３の先端を目標位置まで突出させる作業を、さらに簡略化できる。
【００３６】
また、ＥＧＲインレット３は、挿入部１６に接続される外周管１９を有し、外周管１９は、挿入部１６の上側で縮径して本管２０に接合されている。
これにより、本管２０を流れるＥＧＲガスから挿入部１６への伝熱は本管２０および外周管１９を経由する。このため、本管２０を流れるＥＧＲガスから挿入部１６への伝熱は、本管２０を直接的に挿入部１６に接続する場合よりも緩和される。また、挿入部１６および外周管１９は、外周管１９の内周側の吸気および外周管１９の外周側の外気により両側から冷却される。このため、インテークマニホールド２が樹脂を素材として設けられていても、ＥＧＲガスからの伝熱による樹脂の溶融や高温劣化などの問題を回避できる。
【００３７】
〔変形例〕
実施例１の吸気装置１は、Ｖ型エンジンに吸気を供給するものであったが、直列型エンジンや水平対向型エンジンに吸気装置１を採用することもできる。
また、実施例１のＥＧＲインレット３は、挿入部１６の内部で、挿入部１６と同軸的に配される部分（同軸部分）と、目標位置の方に傾斜する部分（傾斜部分）とが接続していたが、挿入部１６よりも下側で同軸部分と傾斜部分とが接続するようにしてもよい。
【図面の簡単な説明】
【００３８】
【図１】吸気装置の斜視図である。
【図２】吸気装置の内部を示す断面図である。
【図３】吸気装置の要部を示す部分断面図である。
【符号の説明】
【００３９】
１  吸気装置
２  インテークマニホールド
３  ＥＧＲインレット
４  サージタンク
５  導出管
６  導入管
１６  挿入部
１７  吹出し口（ＥＧＲインレットの先端）
１８  ストレート部（ＥＧＲインレットの先端部）
１９  外周管
２０  本管
【図１】
2008297919.tif 000003
【図２】
2008297919.tif 000004
【図３】
2008297919.tif 000005